(57)【要約】    【課題】複数の火災感知器が火災発報した際のシンボル表示から発報順を判別可能として火元等を容易に確認可能とする。    【解決手段】  地図情報表示部は第１報目の火災検出信号を受信した際に、発報した感知器シンボル７６−１を配置した地図７４をデータベースから読出して表示画面７２に表示すると共に、発報した感知器シンボル７６−１の色を通常監視時の色とは異なる別の色に変化させる。シンボル表示制御部は、第２報目以降の火災検出信号を受信する毎に、新たに火災検出信号を受信した火災感知器のシンボルの色を通常監視時の色とは異なる別の色に変化させると共に、既に火災検出信号を受信している火災感知器のシンボルを受信時点が早いほど大きくなるように拡大表示させる。    【選択図】      図７
2009015410.tif 000002
【特許請求の範囲】
【請求項１】
火災感知器の火災発報に基づく火災検出信号を受信して表示する防災表示装置に於いて、
前記火災感知器の設置場所を示すシンボルを配置した監視対象の地図をデータベースに登録して管理する地図情報管理部と、
第１報目の火災検出信号を受信した際に、発報した火災感知器のシンボルを配置した地図を前記データベースから読出して液晶ディスプレイ等の画面上に表示すると共に、発報した火災感知器のシンボルの色を通常監視時の色とは異なる別の色に変化させる地図情報表示部と、
第２報目以降の火災検出信号を受信する毎に、新たに火災検出信号を受信した火災感知器のシンボルの色を通常監視時の色とは異なる別の色に変化させると共に、既に火災検出信号を受信している火災感知器のシンボルを受信時点が早いほど大きくなるように拡大表示させるシンボル表示制御部と、
を設けたことを特徴とする防災表示装置。
【請求項２】
請求項１記載の防災表示装置に於いて、前記シンボル表示制御部は、前記火災感知器のシンボルが所定の最大サイズに達した場合、その後は前記シンボルを最大サイズに維持することを特徴とする防災表示装置。
【請求項３】
火災感知器の火災発報に基づく火災検出信号を受信して表示する防災表示装置の制御方法に於いて、
前記火災感知器の設置場所を示すシンボルを配置した監視対象の地図をデータベースに登録して管理する地図情報管理ステップと、
第１報目の火災検出信号を受信した際に、発報した火災感知器のシンボルを配置した地図を前記データベースから読出して液晶ディスプレイ等の画面上に表示すると共に、発報した火災感知器のシンボルの色を通常監視時の色とは異なる別の色に変化させる地図情報表示ステップと、
第２報目以降の火災検出信号を受信する毎に、新たに火災検出信号を受信した火災感知器のシンボルの色を通常監視時の色とは異なる別の色に変化させると共に、既に火災検出信号を受信している火災感知器のシンボルを受信時点が早いほど大きくなるように拡大表示させるシンボル表示制御ステップと、
を設けたことを特徴とする防災表示装置の制御方法。
【発明の詳細な説明】
【技術分野】
【０００１】
本発明は、火災検出信号等の防災情報を受けて表示画面上に防災端末機器のシンボルを示した建物平面図などの監視対象の地図を表示する防災表示装置及び制御方法に関する。
【背景技術】
【０００２】
従来、この種の防災表示装置は、火災発報した火災感知器の火災検出信号を受信した際に、火災発生場所を含む地図を液晶ディスプレイ等の表示画面上に表示している。
【０００３】
この表示画面に表示される地図には、火災感知器を含む各種センサや防排煙ダンパ等の防災制御機器を含む各種防災端末をシンボルで表示しており、その中の火災発報した火災感知器のシンボルを例えばカラー点滅表示して火災発生場所を示すようにしている。
【特許文献１】特開平１１−７５９２号公報
【発明の開示】
【発明が解決しようとする課題】
【０００４】
しかしながら、このような従来の防災表示装置にあっては、第１報目の火災検出信号を受信して表示画面に地図を表示して発報感知器のシンボルをカラー点滅表示させた後に、火災の延焼に伴って第２報目、第３報目と複数の火災感知器が火災発報した場合、火災発報している複数の火災感知器のシンボルを同じ地図上でカラー点滅表示させることとなり、どの火災感知器が最初に発報したかが分かりづらくなる問題がある。
【０００５】
特に火災の場合は、最初に受信した第１報目が火元を示していることから重要であるが、火災が延焼し同時に複数の火災感知器が発報状態になると、地図のシンボル表示からは同じカラー点滅表示となるため、シンボル表示からは火元の確認が困難になるという問題がある。
【０００６】
本発明は、複数の火災感知器が火災発報した際のシンボル表示から発報順を判別可能として火元等を容易に確認可能とする防災表示装置及び制御方法を提供することを目的とする。
【課題を解決するための手段】
【０００７】
本発明は防災表示装置を提供する。即ち、本発明は、火災感知器の火災発報に基づく火災検出信号を受信して表示する防災表示装置に於いて、
火災感知器の設置場所を示すシンボルを配置した監視対象の地図をデータベースに登録して管理する地図情報管理部と、
第１報目の火災検出信号を受信した際に、発報した火災感知器のシンボルを配置した地図をデータベースから読出して液晶ディスプレイ等の画面上に表示すると共に、発報した火災感知器のシンボルの色を通常監視時の色とは異なる別の色に変化させる地図情報表示部と、
第２報目以降の火災検出信号を受信する毎に、新たに火災検出信号を受信した火災感知器のシンボルの色を通常監視時の色とは異なる別の色に変化させると共に、既に火災検出信号を受信している火災感知器のシンボルを受信時点が早いほど大きくなるように拡大表示させるシンボル表示制御部と、
を設けたことを特徴とする。
【０００８】
ここで、シンボル表示制御部は、火災感知器のシンボルが所定の最大サイズに達した場合、その後はシンボルを最大サイズに維持する。
【０００９】
本発明は防災表示装置の制御方法を提供する。即ち、本発明は、火災感知器の火災発報に基づく火災検出信号を受信して表示する防災表示装置の制御方法に於いて、
火災感知器の設置場所を示すシンボルを配置した監視対象の地図をデータベースに登録して管理する地図情報管理ステップと、
第１報目の火災検出信号を受信した際に、発報した火災感知器のシンボルを配置した地図をデータベースから読出して液晶ディスプレイ等の画面上に表示すると共に、発報した火災感知器のシンボルの色を通常監視時の色とは異なる別の色に変化させる地図情報表示ステップと、
第２報目以降の火災検出信号を受信する毎に、新たに火災検出信号を受信した火災感知器のシンボルの色を通常監視時の色とは異なる別の色に変化させると共に、既に火災検出信号を受信している火災感知器のシンボルを受信時点が早いほど大きくなるように拡大表示させるシンボル表示制御ステップと、
を設けたことを特徴とする。
【発明の効果】
【００１０】
本発明によれば、第１報の火災検出信号を受信して火災発生場所を含む地図を表示して火災発報した火災感知器のシンボルをカラー点滅表示させた状態で、第２報、第３報というように火災検出信号を受信する毎に、新たに受信した火災感知器のシンボルをカラー点滅表示すると同時に、既に発報しているか火災感知器のシンボルを発報順に大きくなるように拡大表示しているため、火災発報している複数の火災感知器のシンボルが表示されていても、シンボルが大きいほど発報が早いことを示しており、サイズの最も大きなシンボルが火元であることを、地図のシンボル表示をみて直ぐに把握することができる。
【００１１】
また発報順にシンボルサイズが小さくなるように変化しているため、火元に対する延焼の様子をシンボルサイズの変化から把握し、避難誘導や消防活動に反映させることができる。
【発明を実施するための最良の形態】
【００１２】
図１は防災監視システムと共に本発明による防災表示装置の実施形態を示したブロック図である。図１において、防災監視システムには防災受信盤１０が設けられ、防災受信盤１０から引き出された伝送路１１に対し、感知器などの各種センサと防火ダンパや防火戸などの各種防災制御機器を接続している。
【００１３】
本実施形態にあっては、各種センサとして、中継器１４を介してアナログ煙感知器１６、中継器機能を備えたアナログ煙感知器２０、中継器機能を備えたアナログ熱感知器２２、更に光電式分離型煙感知器２４を接続している。なお光電式分離型煙感知器２４は発光部２４ａと受光部２４ｂで構成され、両者を分離配置し、発光部２４ａからパルス光を発光し、煙用に減衰されたパルス光を受光部２４ｂで受光して火災を検出している。
【００１４】
また伝送路１１に対しては、各種防災制御機器として、中継器１４を介して地区音響装置１８、防排煙ダンパ１７、防火戸２１のラッチレリーズ１９を接続している。
【００１５】
防災受信盤１０に対しては本発明による防災表示盤（装置）１２が接続されている。防災表示盤１２はコントローラ２６を備え、コントローラ２６に対し液晶ディスプレイ２８、キーボード３０、マウス３２、プリンタ３４、監視区域を警戒するＩＴＶカメラ３６及び防災警報などを行うスピーカ３８を接続している。
【００１６】
防災表示盤１２のコントローラ２６はコンピュータで実現されており、監視対象となる警戒区域の地図情報を格納したデータベース４０に加え、プログラムの実行により実現される機能として、地図情報管理部４２、地図情報表示部４４及びシンボル表示制御部４６を設けている。
【００１７】
地図情報管理部４２は、防災監視システムに設置している各種センサ及び防排煙機器の設置場所を示すシンボルを配置した監視対象の地図をデータベース４０に登録して管理している。
【００１８】
地図情報表示部４４は、防災受信機１０から第１報目の火災検出信号を受信した際に、発報した火災感知器のシンボルを配置した地図をデータベース４０から読出して液晶ディスプレイ２８の表示画面上に表示すると共に、発報した火災感知器のシンボルの色を通常監視時の色とは異なる別の色、具体的には通常監視時の青色から火災発報を示す赤色に変化させ、更に赤色で点滅表示させる。
【００１９】
また地図情報表示部４４は、液晶ディスプレイ２８のメニュー画面からオペレータの操作により地図選択情報を入力した場合、データベース４０から対応する地図を読み出して、液晶ディスプレイ２８の画面上に表示する。
【００２０】
シンボル表示制御部４６は、防災受信盤１０から第２報目以降の火災検出信号を受信する毎に、新たに火災検出信号を受信した火災感知器のシンボルの色を通常監視時の青色から赤色に変化させて点滅表示すると共に、既に火災検出信号を受信して赤色点滅している感知器シンボルについては、受信時点が早いほど大きくなるように拡大表示させる。
【００２１】
ここで、表示画面上で拡大表示できる感知器シンボルの最大サイズは隣接するシンボルを覆い隠すことのないサイズに予め決められており、シンボル表示制御部４６は、感知器シンボルが最大サイズに達した場合、その後はシンボルを最大サイズに維持する。
【００２２】
図２は本実施形態における防災制御盤のハードウェア構成を示したブロック図である。図２において、防災表示盤１２に設けたコントローラ２６は、コンピュータのハードウェア環境で実現されている。
【００２３】
コントローラ２６を実現するコンピュータはＣＰＵ５０を備え、ＣＰＵ５０のバス５１に対し、ＲＡＭ５２、ＲＯＭ５３、防災受信盤１０を接続するシリアルインタフェース５４、ハードディスクドライブ５５を接続している。
【００２４】
また、コントローラ２６の外部に設けている液晶ディスプレイ２８、キーボード３０、マウス３２、プリンタ３４、ＩＴＶカメラ３６及びスピーカ３８のそれぞれを、専用のインタフェース５６，５７，５８，５９，６０，６１を介して、ＣＰＵ５０のバス５１に接続している。
【００２５】
コントローラ２６のハードディスクドライブ５５には、図１の防災表示盤１２のコントローラ２６に示したデータベース４０及びＣＰＵ５０による実行で実現される地図情報管理部４２、地図情報表示部４４及びシンボル表示制御部４６として機能させるためのプログラムを格納している。
【００２６】
防災表示盤１２の電源を投入するとコントローラ２６が起動し、ＲＯＭ５３のブートコードの実行により初期化診断処理を行った後、ハードディスクドライブ５５からＲＡＭ５２にＯＳをロードし、ＯＳをＣＰＵ５０で実行することで、ハードディスクドライブ５５から本実施形態の防災表示処理を行うアプリケーションプログラムをＲＡＭ５２にロードし、ＣＰＵ５０で実行する。
【００２７】
図３は本実施形態のデータベース４０に格納された地図データファイルを示した説明図である。図３の地図データファイル６２は、監視対象の例えば建物の階別に作成された地図を表示するためのデータであり、ヘッダ６４、地図データ６６及びシンボルデータ６８で構成されている。
【００２８】
ヘッダ６４には地図データファイル６２の建物名及び階数などの識別情報が格納されている。地図データ６６は建物の平面レイアウトを示した建物平面図などであり、通常、ＣＡＤによる２次元地図データとして作成されている。
【００２９】
シンボルデータ６８は、地図データ６６により表示される地図上に配置される感知器を含む各種センサ及び各種防災制御機器の配置位置及びシンボル内容を個別に登録したデータである。シンボルデータ６８については、その中に登録されている感知器シンボルデータ７０を右側に取り出して示している。
【００３０】
感知器シンボルデータ７０は、識別子を含むシンボル名、位置座標、図形データ及び指定色で構成されており、指定色については通常時の青色と火災時の赤色を指定している。この感知器シンボルデータ７０を使用することで、地図データ６６により表示された地図上の位置座標で決まる位置に、図形データで決まる感知器シンボルを、通常監視時にあっては青色で表示し、火災発報時には赤色に変化させて点滅表示させる。
【００３１】
地図データファイル６２に基づくシンボルを配置した地図の画面表示は、図２のＲＡＭ５２のメモリ領域を使用したレイアウトレイヤ（レイアウト画層）とシンボルレイヤ（シンボル画層）を使用して行われる。
【００３２】
まず地図については、地図データファイル６２から地図データ６６を読み出してレイアウトレイヤに地図を展開する。またシンボルデータ６８から全てのシンボルデータを読出し、シンボルレイヤにシンボルを展開する。続いてレイアウトレイヤとシンボルレイヤを重ね合わせた合成レイヤを生成し、これを表示画面に地図として表示する。
【００３３】
このようなレイヤ構造を利用してシンボルを配置した地図の表示において、図１に示したシンボル表示制御部４６にあっては、シンボルレイヤに展開している感知器シンボルを対象に、新たに火災検出信号を受信する毎に、新たに火災検出信号を受信した感知器シンボルの赤色点滅表示のための書換えと、既に火災発報している感知器シンボルの拡大表示のための書換えを行い、これをレイアウトレイヤに固定的に展開している地図に重ねて表示画面に表示することになる。
【００３４】
図４は本実施形態による通常監視時での地図表示を示した説明図である。図４において、図１に示した液晶ディスプレイ２８の表示画面７２には、例えばオペレータによるメニュー選択による地図の指定で地図７４が表示される。
【００３５】
ここで地図７４には建物平面図となるレイアウト図形に加え、火災感知器の設置場所を示す感知器シンボル７６−１〜７６−７が表示されている。
【００３６】
また表示画面７２の右側には操作部７８が設けられ、操作部７８には、上から前画面キー、次画面キー、直下階キー、直上階キーが配置され、これらのキー操作で表示画面７２の地図７４を切替表示できるようにしている。更に、その下には拡大キーと縮小キーが配置され、表示画面７２に表示している地図７４を、キー操作に応じて拡大または縮小することができる。
【００３７】
図５は図１の防災表示盤１２のコントローラ２６が、防災受信盤１０から第１報目の火災検出信号を受信した際の本実施形態によるシンボル表示を示した説明図である。図５において、第１報目の火災検出信号を受信すると、火災発報した感知器シンボルを含む地図７４が図３の地図データファイル６２から生成され、表示画面７２に図示のように表示される。このとき火災発報した第１報目の感知器シンボル７６−１については、それまでの青色から、火災発報を示す赤色で且つ点滅表示に切り替えられる。
【００３８】
続いて図６に示すように、第２報目の火災検出信号を受信した場合には、表示画面７２の地図７４に第２報目の火災感知器に対応した感知器シンボル、この例では感知器シンボル７６−２，７６−４の２つについて、それまでの青色から火災発報を示す赤色の点滅表示に切り替える。
【００３９】
同時に、図５に示したように、第１報目の火災検出信号の受信で赤色点滅表示している感知器シンボル７６−１については、第２報目の火災検出信号の受信に伴い、シンボルを一回り大きいサイズに拡大表示している。
【００４０】
図７は図６に続いて第３報目を受信した際のシンボル表示を示しており、第３報目の火災検出信号により、感知器シンボル７６−５について、それまでの青色から赤色点滅表示に切替表示している。
【００４１】
この第３報目の火災検出信号の受信時には、既に発報中の表示をしている３つの感知器シンボル７６−１，７６−２，７６−４については、火災検出信号の受信時点が早いほど段階的に大きくなるように拡大表示している。
【００４２】
即ち、第１報目の感知器シンボル７６−１については、図６に示した第２報目を受信した際の感知器シンボル７６−１のサイズに対し、更に一回り大きなシンボルに拡大表示している。
【００４３】
また図６で第２報目の受信により赤色点滅表示とした感知器シンボル７６−２，７６−４の２つについては、図７の第３報目の火災検出信号の受信で、それより一回り大きいサイズとなる感知器シンボル７６−２，７６−４に拡大表示している。
【００４４】
このように、防災表示装置の表示画面７２に、現在火災発報中にある複数の火災感知器に対応した感知器シンボル、例えば図７に示すような感知器シンボル７６−１，７６−２，７６−４，７６−５の４つの火災発報に伴うシンボル表示が行われた場合、従来はすべての感知器シンボルが同一サイズとなっているため、４つの火災発報のシンボル表示を見ても、どれが第１報目の火元であるかは判らない。
【００４５】
しかしながら、本実施形態にあっては、火災検出信号の受信時点が早いほど火災発報を示すシンボルサイズが大きいため、図７の場合にはシンボルサイズが最も大きい感知器シンボル７６−１が第１報目で火元を示しており、次に大きな感知器シンボル７６−２，７６−４が第２報目による感知器シンボルであることが判り、更に一番小さい感知器シンボル７６−５が第３報目の感知器シンボルであることが一目で把握できる。
【００４６】
また火災発報を示している４つの感知器シンボル７６−１，７６−２，７６−４，７６−５のサイズを見て、サイズの大きい場所からサイズの小さい場所に向かって火災が延焼している様子が把握でき、避難誘導や消火活動に対し有効な情報を与えることができる。
【００４７】
図８は本実施形態による防災表示処理を示したフローチャートであり、図１を参照して説明すると次のようになる。
【００４８】
図８において、本実施形態の防災表示処理は、ステップＳ１で防災受信盤１０からの火災検出信号の受信の有無をチェックしており、火災検出信号を受信すると、ステップＳ２に進み、第１報目か否か判別する。第１報目であった場合にはステップＳ３に進み、地図情報表示部４４が例えば図５に示したように、火災発生場所を含む感知器シンボルを配置した地図を画面表示する。
【００４９】
続いてステップＳ４で、火災発報した感知器シンボルの色をそれまでの青色から赤色に変更して点滅制御させる。続いてステップＳ８で火災復旧の有無をチェックしており、火災復旧でなければステップＳ１に戻り、次の火災検出信号の受信を監視する。
【００５０】
ステップＳ１で次の火災検出信号の受信が判別されると、ステップＳ２で第１報目でないことから、ステップＳ５に進み、第２報目以降であることから、ステップＳ６でシンボル表示制御部４６が、新たに受信した火災検出信号に対応した最新発報の感知器シンボルを、第１報目の受信と同様、青色から赤色点滅表示に変化する色変更制御を行い、続いてステップＳ７で、発報中の感知器シンボルの拡大表示制御を、例えば第２報目を示した図６の感知器シンボル７６−１のように、あるいは図７に示した第３報目を受信した感知器シンボル７６−１，７６−２，７６−４のように拡大表示させる。
【００５１】
ステップＳ５〜Ｓ７における第２報目以降の火災検出信号の受信に伴う発報中の感知器シンボルの拡大表示は、拡大表示可能なシンボルの最大サイズを予め決めておくことで、最大サイズに達したら、その後の火災検出信号の受信については最大サイズの表示状態を維持することになる。
【００５２】
このようなステップＳ１〜Ｓ７の処理に対し、ステップＳ８で火災復旧を判別すると、ステップＳ９に進み、シンボル発報表示を停止し、例えば図４に示すような通常監視時の地図７４のシンボル表示状態に戻ることになる。
【００５３】
なお、上記の実施形態は、火災検出信号を受信して同時に複数の感知器シンボルの状態が変化している場合に、発報順にシンボルサイズを拡大表示する場合を例にとっているが、火災感知器以外に、防災監視システムに配置している他のセンサについても、同時に複数のセンサの状態が変化した場合には変化した順番に応じてシンボルを拡大表示することで、どのセンサが最初に変化したかをシンボル表示を見て直ちに判るようにしてもよい。
【００５４】
さらに認識がしやすいように拡大表示したシンボルと火災発報時の拡大表示する前のシンボルを切り換えて大きくなったり小さくなったり表示すると、より目立って表示することができる。発報した順番をシンボルの脇に付しても良い。
【００５５】
また、上記実施形態においては防災受信盤と接続された防災表示盤にて表示する例を示したが、これに限らず、防災受信盤に内蔵した表示装置で行っても良い。
【００５６】
また本発明は、その目的と利点を損なうことのない適宜の変形を含み、更に上記の実施形態に示した数値による限定は受けない。
【図面の簡単な説明】
【００５７】
【図１】防災監視システムと共に本発明による防災表示装置の実施形態を示したブロック図
【図２】本実施形態における防災表示装置のハードウェア構成を示したブロック図
【図３】本実施形態でデータベースに登録された地図データファイルを示した説明図
【図４】実施形態による通常監視時での地図表示を示した説明図
【図５】第１報目を受信した際の本実施形態によるシンボル表示を示した説明図
【図６】第２報目を受信した際の本実施形態によるシンボル表示を示した説明図
【図７】第３報目を受信した際の本実施形態によるシンボル表示を示した説明図
【図８】本実施形態による防災表示処理を示したフローチャート
【符号の説明】
【００５８】
１０：防災受信盤
１１：伝送路
１２：防災表示盤
１４：中継器
１６，２０：アナログ煙感知器
１７：防排煙ダンパ
１８：地区音響装置
１９：ラッチレリーズ
２１：防火戸
２２：アナログ熱感知器
２４：光電式分離型煙感知器
２６：コントローラ
２８：液晶ディスプレイ
３０：キーボード
３２：マウス
３４：プリンタ
３６：ＩＴＶカメラ
３８：スピーカ
４０：データベース
４２：地図情報管理部
４４：地図情報表示部
４６：シンボル表示部
６２：地図データファイル
６４：ヘッダ
６６：地図データ
６８：シンボルデータ
７０：感知器シンボルデータ
７２：表示画面
７４：地図
７６−１〜７６−７：感知器シンボル
７８：操作部
【図１】
2009015410.tif 000003
【図２】
2009015410.tif 000004
【図３】
2009015410.tif 000005
【図４】
2009015410.tif 000006
【図５】
2009015410.tif 000007
【図６】
2009015410.tif 000008
【図７】
2009015410.tif 000009
【図８】
2009015410.tif 000010